(57)【特許請求の範囲】
【請求項１】
室内用の温度感知の空気湿度自動調節系統であって、湿度調節箱を含み、前記湿度調節箱の上端面にはフックが固定的に設置され、前記フックにより前記室内用の温度感知の空気湿度自動調節系統を壁にかけることができ、前記湿度調節箱の中には作動チャンバが設置され、前記作動チャンバの中には調節機構が設置され、前記調節機構は前記作動チャンバの上端壁の中に位置した圧力チャンバを含み、前記圧力チャンバが下方に開口しており、前記圧力チャンバの中には密封ブロックがスライド可能に設置され、前記密封ブロックと前記圧力チャンバとの間が密封状態にあり、前記密封ブロックの上側の前記圧力チャンバの中には水銀が貯蔵されており、室内温度の変化により、水銀が伸縮して前記密封ブロックを動かして上下に移動させ、前記密封ブロックの下端面には毛製糸が固定的に設置され、前記毛製糸は室内の湿度の変化により伸縮でき、前記毛製糸の下側には毛製糸の移動に連動して回転する旋転棒が設置されており、
前記調節機構の下側には乾燥機構が設置され、室内湿度が大きすぎると、前記旋転棒が回転して前記乾燥機構を作動させ、室内に除湿を行うことができ、
前記乾燥機構の右側には加湿機構が設置され、室内湿度が小さすぎると、前記旋転棒が回転して前記加湿機構を作動させ、室内に水を噴出させて加湿を行うことができることを特徴とする室内用の温度感知の空気湿度自動調節系統。
【請求項２】
前記調節機構はまた前記作動チャンバの後端壁に回転可能に連結されたねじり軸を含み、前記ねじり軸と前記作動チャンバの後端壁との間にはねじりばねが設置され、前記ねじり軸には大歯車とリールが固定的に設置され、前記大歯車が前記リールの後ろ側に位置しており、前記リールには細糸が巻き付けられており、前記細糸と前記毛製糸とが固定的に連結され、前記ねじり軸の右側には前記作動チャンバの後端壁と回転可能に連結された伝動軸が設置され、前記伝動軸には小歯車と第一プーリとが固定的に設置され、前記小歯車が前記第一プーリの後ろ側に位置しており、前記小歯車と前記大歯車とが噛合伝動でき、前記伝動軸の下側には前記作動チャンバの後端壁と回転可能に連結されたプーリ軸が設置され、前記プーリ軸には第二プーリと前記旋転棒とが固定的に設置され、前記旋転棒が前記第二プーリの前側に位置しており、前記第二プーリと前記第一プーリとがベルトにより摩擦伝動することを特徴とする請求項１に記載の室内用の温度感知の空気湿度自動調節系統。
【請求項３】
前記乾燥機構は前記作動チャンバの下端壁の左側と固定的に連結された第一モータを含み、前記湿度調節箱の左端面の下側には乾燥ブロックが固定的に設置され、前記乾燥ブロックの中には前記乾燥ブロックの上下端面を貫通した乾燥チャンバが設置され、前記乾燥チャンバの左端壁が吸入チャンバにより外部と連通され、前記第一モータの左端面には左端が前記乾燥チャンバの中に位置した羽根軸が回転可能に設置され、前記乾燥チャンバの中の前記羽根軸には四つの羽根が等間隔に固定的に設置され、前記乾燥チャンバの中には二つの乾燥ケースが上下対称に装着されていることを特徴とする請求項１に記載の室内用の温度感知の空気湿度自動調節系統。
【請求項４】
前記加湿機構は前記作動チャンバの下端壁の右側と固定的に連結された第二モータを含み、前記第二モータの右端面には入力軸が回転可能に設置され、前記入力軸には第一傘歯車が固定的に設置され、前記作動チャンバの後端壁には頂部板が固定的に設置され、前記頂部板の下端面には頂部軸が回転可能に設置され、前記頂部軸には頂部棒が固定的に設置され、前記頂部軸の下端には前記第一傘歯車と噛合伝動した第二傘歯車が固定的に設置され、前記頂部軸の右側には前記頂部板の下端面と回転可能に連結された短軸が設置され、前記短軸には五つの短棒が等間隔に固定的に設置され、前記短軸には長棒が固定的に設置され、前記頂部棒が前記頂部軸に連動して回転することで、前記長棒と前記短棒が押し動かされて間欠的に回転していることを特徴とする請求項１に記載の室内用の温度感知の空気湿度自動調節系統。
【請求項５】
前記作動チャンバの後端壁には水貯蔵ブロックが固定的に設置され、前記水貯蔵ブロックの中には上端壁が外部に連通した水貯蔵チャンバが設置され、前記水貯蔵チャンバの中には水が盛り付けられており、前記水貯蔵ブロックの下側には前記作動チャンバの後端壁と固定的に連結された方形ブロックが設置され、前記方形ブロックの中には円柱チャンバが設置され、前記円柱チャンバの中には水が盛り付けられており、前記水貯蔵チャンバと前記円柱チャンバとが水管により連通され、前記水管の中には逆止弁が装着され、前記円柱チャンバの中には円形板がスライド可能に設置され、前記円形板の左端面には左端が前記円柱チャンバの左端壁と固定的に連結された圧力ばねが上下対称に固定的に設置され、前記円形板の左端面の中心には左端が前記作動チャンバの中に位置した横棒が固定的に設置され、前記横棒の左端には圧力板が固定的に設置され、前記湿度調節箱の右端面の下側にはノズルが装着され、前記ノズルと前記円柱チャンバとが案内孔により連通され、前記案内孔の中には圧力弁が装着されていることを特徴とする請求項４に記載の室内用の温度感知の空気湿度自動調節系統。
【請求項６】
前記作動チャンバの下端壁の中心には電源が固定的に設置され、前記電源の中には第一コンセントと第二コンセントとが設置され、前記作動チャンバの下端壁の中には上方に開口した弾力チャンバが設置され、前記弾力チャンバの中には弾力棒がスライド可能に設置され、前記弾力棒の左右端面には前記弾力チャンバの左右端壁と固定的に連結された弾力ばねが対称に設置され、前記弾力棒の上端には支持ブロックが固定的に設置され、前記支持ブロックの左端面には第一プラグが固定的に設置され、前記第一プラグと前記第一モータとが第一電線により導電し、前記支持ブロックの右端面には第二プラグが固定的に設置され、前記第二プラグと前記第二モータとが第二電線により導電することを特徴とする請求項３に記載の室内用の温度感知の空気湿度自動調節系統。
【請求項７】
前記長棒が回転すると前記圧力板を押し動かすことができ、前記短棒の回転が前記圧力板に影響せず、前記ねじりばねが圧縮状態にあることを特徴とする請求項５に記載の室内用の温度感知の空気湿度自動調節系統。
【発明の詳細な説明】
【技術分野】
【０００１】
本発明は室内空気調節分野に関し、具体的には室内用の温度感知の空気湿度自動調節系統に関する。
【背景技術】
【０００２】
生活クオリティの向上に伴い、生活環境もますます重要視され、特に室内快適度の主要要素として、室内湿度に対する調節は主に加湿器や電熱乾燥により実現し、自動化程度が低い上に、手動で操作しなければならなく、調節効果が望ましくない。また、湿度は室温の変化によりその調節範囲も変わるのである。
【先行技術文献】
【特許文献】
【０００３】
【特許文献１】中国特許出願公開第１０２３５３１０７号明細書
【発明の概要】
【発明が解決しようとする課題】
【０００４】
本発明の技術課題は室内用の温度感知の空気湿度自動調節系統を提供し、室内湿度調節の自動化程度の低下や湿度範囲制御の困難等の問題を解決する。
【課題を解決するための手段】
【０００５】
本発明は以下の技術プランを提供する：本発明である室内用の温度感知の空気湿度自動調節系統は、湿度調節箱を含み、前記湿度調節箱の上端面にはフックが固定的に設置され、前記フックにより前記室内用の温度感知の空気湿度自動調節系統を壁にかけることができ、前記湿度調節箱の中には作動チャンバが設置され、前記作動チャンバの中には調節機構が設置され、前記調節機構は前記作動チャンバの上端壁の中に位置した圧力チャンバを含み、前記圧力チャンバが下方に開口しており、前記圧力チャンバの中には密封ブロックがスライド可能に設置され、前記密封ブロックと前記圧力チャンバとの間が密封状態にあり、前記密封ブロックの上側の前記圧力チャンバの中には水銀が貯蔵されており、室内温度の変化により、水銀が伸縮して前記密封ブロックを動かして上下に移動させ、前記密封ブロックの下端面には毛製糸が固定的に設置され、前記毛製糸は室内の湿度の変化により伸縮でき、前記毛製糸の下側には毛製糸の移動に連動して回転する旋転棒が設置されている。
【０００６】
前述した技術プランの上で、前記調節機構の下側には乾燥機構が設置され、室内湿度が大きすぎると、前記旋転棒が回転して前記乾燥機構を作動させ、室内に除湿を行う。
【０００７】
前述した技術プランの上で、前記乾燥機構の右側には加湿機構が設置され、室内湿度が小さすぎると、前記旋転棒が回転して前記加湿機構を作動させ、室内に水を噴出させて加湿を行う。
【０００８】
前述した技術プランの上で、前記調節機構はまた前記作動チャンバの後端壁に回転可能に連結されたねじり軸を含み、前記ねじり軸と前記作動チャンバの後端壁との間にはねじりばねが設置され、前記ねじり軸には大歯車とリールが固定的に設置され、前記大歯車が前記リールの後ろ側に位置しており、前記リールには細糸が巻き付けられており、前記細糸と前記毛製糸とが固定的に連結され、前記ねじり軸の右側には前記作動チャンバの後端壁と回転可能に連結された伝動軸が設置され、前記伝動軸には小歯車と第一プーリとが固定的に設置され、前記小歯車が前記第一プーリの後ろ側に位置しており、前記小歯車と前記大歯車とが噛合伝動でき、前記伝動軸の下側には前記作動チャンバの後端壁と回転可能に連結されたプーリ軸が設置され、前記プーリ軸には第二プーリと前記旋転棒とが固定的に設置され、前記旋転棒が前記第二プーリの前側に位置しており、前記第二プーリと前記第一プーリとがベルトにより摩擦伝動する。
【０００９】
前述した技術プランの上で、前記乾燥機構は前記作動チャンバの下端壁の左側と固定的に連結された第一モータを含み、前記湿度調節箱の左端面の下側には乾燥ブロックが固定的に設置され、前記乾燥ブロックの中には前記乾燥ブロックの上下端面を貫通した乾燥チャンバが設置され、前記乾燥チャンバの左端壁が吸入チャンバにより外部と連通され、前記第一モータの左端面には左端が前記乾燥チャンバの中に位置した羽根軸が回転可能に設置され、前記乾燥チャンバの中の前記羽根軸には四つの羽根が等間隔に固定的に設置され、前記乾燥チャンバの中には二つの乾燥ケースが上下対称に装着されている。
【００１０】
前述した技術プランの上で、前記加湿機構は前記作動チャンバの下端壁の右側と固定的に連結された第二モータを含み、前記第二モータの右端面には入力軸が回転可能に設置され、前記入力軸には第一傘歯車が固定的に設置され、前記作動チャンバの後端壁には頂部板が固定的に設置され、前記頂部板の下端面には頂部軸が回転可能に設置され、前記頂部軸には頂部棒が固定的に設置され、前記頂部軸の下端には前記第一傘歯車と噛合伝動した第二傘歯車が固定的に設置され、前記頂部軸の右側には前記頂部板の下端面と回転可能に連結された短軸が設置され、前記短軸には五つの短棒が等間隔に固定的に設置され、前記短軸には長棒が固定的に設置され、前記頂部棒が前記頂部軸に連動して回転することで、前記長棒と前記短棒が押し動かされて間欠的に回転している。
【００１１】
前述した技術プランの上で、前記作動チャンバの後端壁には水貯蔵ブロックが固定的に設置され、前記水貯蔵ブロックの中には上端壁が外部に連通した水貯蔵チャンバが設置され、前記水貯蔵チャンバの中には水が盛り付けられており、前記水貯蔵ブロックの下側には前記作動チャンバの後端壁と固定的に連結された方形ブロックが設置され、前記方形ブロックの中には円柱チャンバが設置され、前記円柱チャンバの中には水が盛り付けられており、前記水貯蔵チャンバと前記円柱チャンバとが水管により連通され、前記水管の中には逆止弁が装着され、前記円柱チャンバの中には円形板がスライド可能に設置され、前記円形板の左端面には左端が前記円柱チャンバの左端壁と固定的に連結された圧力ばねが上下対称に固定的に設置され、前記円形板の左端面の中心には左端が前記作動チャンバの中に位置した横棒が固定的に設置され、前記横棒の左端には圧力板が固定的に設置され、前記湿度調節箱の右端面の下側にはノズルが装着され、前記ノズルと前記円柱チャンバとが案内孔により連通され、前記案内孔の中には圧力弁が装着されている。
【００１２】
前述した技術プランの上で、前記作動チャンバの下端壁の中心には電源が固定的に設置され、前記電源の中には第一コンセントと第二コンセントとが設置され、前記作動チャンバの下端壁の中には上方に開口した弾力チャンバが設置され、前記弾力チャンバの中には弾力棒がスライド可能に設置され、前記弾力棒の左右端面には前記弾力チャンバの左右端壁と固定的に連結された弾力ばねが対称に設置され、前記弾力棒の上端には支持ブロックが固定的に設置され、前記支持ブロックの左端面には第一プラグが固定的に設置され、前記第一プラグと前記第一モータとが第一電線により導電し、前記支持ブロックの右端面には第二プラグが固定的に設置され、前記第二プラグと前記第二モータとが第二電線により導電する。
【００１３】
前述した技術プランの上で、前記長棒が回転すると前記圧力板を押し動かすことができ、前記短棒の回転が前記圧力板に影響せず、前記ねじりばねが圧縮状態にある。
【発明の効果】
【００１４】
本発明の有益効果は：本発明は毛髪が湿度により変化した長さにより室内湿度を検測し、自動的に室内湿度を快適な範囲に調節し、温度の変化により、人体の快適湿度範囲もわかり、装置もそれに従って自動的に調節し、より良く適応性を持ち、使用者の生活品質を上げ、装置の連動性が高く、省エネルギーにつながる。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の室内用の温度感知の空気湿度自動調節系統の全体全断面の正面構成概略図
【図２】図２は図１のＡの拡大概略図
【図３】図３は図１のＤの拡大概略図
【図４】図４は図１の「Ｂ―Ｂ」方向の構成概略図
【図５】図５は図２の「Ｃ―Ｃ」方向の構成概略図
【発明を実施するための形態】
【００１７】
図１〜５の示したように、室内用の温度感知の空気湿度自動調節系統は、湿度調節箱１０を含み、前記湿度調節箱１０の上端面にはフック２８が固定的に設置され、前記フック２８により前記室内用の温度感知の空気湿度自動調節系統を壁にかけることができ、前記湿度調節箱１０の中には作動チャンバ２３が設置され、前記作動チャンバ２３の中には調節機構８０が設置され、前記調節機構８０は前記作動チャンバ２３の上端壁の中に位置した圧力チャンバ２５を含み、前記圧力チャンバ２５が下方に開口しており、前記圧力チャンバ２５の中には密封ブロック２４がスライド可能に設置され、前記密封ブロック２４と前記圧力チャンバ２５との間が密封状態にあり、前記密封ブロック２４の上側の前記圧力チャンバ２５の中には水銀が貯蔵されており、室内温度の変化により、水銀が伸縮して前記密封ブロック２４を動かして上下に移動させ、前記密封ブロック２４の下端面には毛製糸６８が固定的に設置され、前記毛製糸６８は室内の湿度の変化により伸縮でき、前記毛製糸６８の下側には毛製糸６８の移動に連動して回転する旋転棒６２が設置されている。
【００１８】
前記調節機構８０の下側には乾燥機構８１が設置され、室内湿度が大きすぎると、前記旋転棒６２が回転して前記乾燥機構８１を作動させ、室内に除湿を行う。
【００１９】
前記乾燥機構８１の右側には加湿機構８２が設置され、室内湿度が小さすぎると、前記旋転棒６２が回転して前記加湿機構８２を作動させ、室内に水を噴出させて加湿を行う。  
【００２０】
更に、前記調節機構８０はまた前記作動チャンバ２３の後端壁に回転可能に連結されたねじり軸２１を含み、前記ねじり軸２１と前記作動チャンバ２３の後端壁との間にはねじりばね６７が設置され、前記ねじり軸２１には大歯車１７とリール２０が固定的に設置され、前記大歯車１７が前記リール２０の後ろ側に位置しており、前記リール２０には細糸２２が巻き付けられており、前記細糸２２と前記毛製糸６８とが固定的に連結され、前記ねじり軸２１の右側には前記作動チャンバ２３の後端壁と回転可能に連結された伝動軸２７が設置され、前記伝動軸２７には小歯車２９と第一プーリ２６とが固定的に設置され、前記小歯車２９が前記第一プーリ２６の後ろ側に位置しており、前記小歯車２９と前記大歯車１７とが噛合伝動でき、前記伝動軸２７の下側には前記作動チャンバ２３の後端壁と回転可能に連結されたプーリ軸６４が設置され、前記プーリ軸６４には第二プーリ６３と前記旋転棒６２とが固定的に設置され、前記旋転棒６２が前記第二プーリ６３の前側に位置しており、前記第二プーリ６３と前記第一プーリ２６とがベルト３２により摩擦伝動する。
【００２１】
更に、前記乾燥機構８１は前記作動チャンバ２３の下端壁の左側と固定的に連結された第一モータ１２を含み、前記湿度調節箱１０の左端面の下側には乾燥ブロック１４が固定的に設置され、前記乾燥ブロック１４の中には前記乾燥ブロック１４の上下端面を貫通した乾燥チャンバ１９が設置され、前記乾燥チャンバ１９の左端壁が吸入チャンバ１６により外部と連通され、前記第一モータ１２の左端面には左端が前記乾燥チャンバ１９の中に位置した羽根軸１５が回転可能に設置され、前記乾燥チャンバ１９の中の前記羽根軸１５には四つの羽根１８が等間隔に固定的に設置され、前記乾燥チャンバ１９の中には二つの乾燥ケース１３が上下対称に装着されている。
【００２２】
更に、前記加湿機構８２は前記作動チャンバ２３の下端壁の右側と固定的に連結された第二モータ４２を含み、前記第二モータ４２の右端面には入力軸４０が回転可能に設置され、前記入力軸４０には第一傘歯車３９が固定的に設置され、前記作動チャンバ２３の後端壁には頂部板３３が固定的に設置され、前記頂部板３３の下端面には頂部軸３８が回転可能に設置され、前記頂部軸３８には頂部棒４１が固定的に設置され、前記頂部軸３８の下端には前記第一傘歯車３９と噛合伝動した第二傘歯車３７が固定的に設置され、前記頂部軸３８の右側には前記頂部板３３の下端面と回転可能に連結された短軸４８が設置され、前記短軸４８には五つの短棒４７が等間隔に固定的に設置され、前記短軸４８には長棒４９が固定的に設置され、前記頂部棒４１が前記頂部軸３８に連動して回転することで、前記長棒４９と前記短棒４７が押し動かされて間欠的に回転している。
【００２３】
前記作動チャンバ２３の後端壁には水貯蔵ブロック３１が固定的に設置され、前記水貯蔵ブロック３１の中には上端壁が外部に連通した水貯蔵チャンバ３０が設置され、前記水貯蔵チャンバ３０の中には水が盛り付けられており、前記水貯蔵ブロック３１の下側には前記作動チャンバ２３の後端壁と固定的に連結された方形ブロック５４が設置され、前記方形ブロック５４の中には円柱チャンバ５３が設置され、前記円柱チャンバ５３の中には水が盛り付けられており、前記水貯蔵チャンバ３０と前記円柱チャンバ５３とが水管５１により連通され、前記水管５１の中には逆止弁５０が装着され、前記円柱チャンバ５３の中には円形板５２がスライド可能に設置され、前記円形板５２の左端面には左端が前記円柱チャンバ５３の左端壁と固定的に連結された圧力ばね５５が上下対称に固定的に設置され、前記円形板５２の左端面の中心には左端が前記作動チャンバ２３の中に位置した横棒５６が固定的に設置され、前記横棒５６の左端には圧力板５７が固定的に設置され、前記湿度調節箱１０の右端面の下側にはノズル３５が装着され、前記ノズル３５と前記円柱チャンバ５３とが案内孔３４により連通され、前記案内孔３４の中には圧力弁３６が装着されている。
【００２４】
有益的に、前記作動チャンバ２３の下端壁の中心には電源４６が固定的に設置され、前記電源４６の中には第一コンセント４５と第二コンセント４４とが設置され、前記作動チャンバ２３の下端壁の中には上方に開口した弾力チャンバ５８が設置され、前記弾力チャンバ５８の中には弾力棒６６がスライド可能に設置され、前記弾力棒６６の左右端面には前記弾力チャンバ５８の左右端壁と固定的に連結された弾力ばね５９が対称に設置され、前記弾力棒６６の上端には支持ブロック６０が固定的に設置され、前記支持ブロック６０の左端面には第一プラグ６１が固定的に設置され、前記第一プラグ６１と前記第一モータ１２とが第一電線１１により導電し、前記支持ブロック６０の右端面には第二プラグ６５が固定的に設置され、前記第二プラグ６５と前記第二モータ４２とが第二電線４３により導電する。
【００２５】
有益的に、前記長棒４９が回転すると前記圧力板５７を押し動かすことができ、前記短棒４７の回転が前記圧力板５７に影響せず、前記ねじりばね６７が圧縮状態にある。
【００２６】
前記室内用の温度感知の空気湿度自動調節系統の全体の機械動作の流れ：
（１）前記室内用の温度感知の空気湿度自動調節系統を室内の壁にかけ、圧力チャンバ２５の中の水銀が室内の温度により変化し、密封ブロック２４が上下に移動し、毛製糸６８が密封ブロック２４にしたがって上下に移動することで、リール２０が回転し、大歯車１７がリール２０に連動して回転し、大歯車１７と小歯車２９との噛合伝動により小歯車２９が回転する。
（２）第一プーリ２６が小歯車２９を回転連動させ、ベルト３２の摩擦伝動により第二プーリ６３が連動して回転し、旋転棒６２が第二プーリ６３に連動して回転する。
（３）室内の湿度に変化が生じる時、毛製糸６８が伸縮することで旋転棒６２が連動して回転し、室内湿度が大きすぎると、旋転棒６２が支持ブロック６０を押し動かして左に移動させ、第一プラグ６１が支持ブロック６０に連動して左に移動して第一コンセント４５の中に挿し込み、第一電線１１の導電により、第一モータ１２が通電し作動することで、羽根軸１５が連動して回転し、羽根１８が羽根軸１５に連動して回転することにより室内の空気が乾燥チャンバ１９の中に吸い込まれ、空気が乾燥ケース１３により温度が適合した範囲に調節される。
（４）室内湿度が小さすぎると、旋転棒６２が支持ブロック６０を右に動かし、第二プラグ６５が支持ブロック６０に連動して右に移動して第二コンセント４４の中に挿し込み、第二電線４３の導電により第二モータ４２が通電することで、入力軸４０が回転し、第一傘歯車３９が入力軸４０に連動して回転し、第一傘歯車３９と第二傘歯車３７との噛合伝動により頂部軸３８を回転連動させ、頂部棒４１が頂部軸３８に連動して回転することで、長棒４９と短棒４７が押し動かされて間欠的に回転し、長棒４９が圧力板５７に移動した時圧力板５７を右に動かし、円形板５２が圧力板５７にしたがって右に移動して円柱チャンバ５３の中の水をノズル３５により霧化排出し、室内湿度を適合範囲に上げる。
【００２７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
0006859529.tif 000002
【図２】
0006859529.tif 000003
【図３】
0006859529.tif 000004
【図４】
0006859529.tif 000005
【図５】
0006859529.tif 000006